(57)【要約】      （修正有）【課題】複数の掛け布団ユニットを組み合わせて構成されるユニット式掛け布団であって、掛け布団ユニットの各々が他の掛け布団ユニットと着脱可能に連結する連結手段を有する、ユニット式掛け布団を提供する。【解決手段】掛け布団ユニット１の各々が他の掛け布団ユニット１と着脱可能に連結する連結手段２を有し、外周部及び中央部の少なくとも一方が、掛け布団ユニット１の欠如により形成された空所３を有する。外周部においては掛け布団ユニット１が連続して連結され、中央部に掛け布団ユニット１の欠如により形成された空所を有する。さらに中央部においては掛け布団ユニット１が連続して連結され、外周部に掛け布団ユニット１の欠如により形成された空所を有する。さらに複数の掛け布団ユニット１が同一の材質および／または異なる材質からなり、矩形であり、一辺の長さが１０ｃｍ〜２１０ｃｍであり、他の一辺の長さが１０ｃｍ〜６０ｃｍである。【選択図】図１
2019042432.tif 000002
【特許請求の範囲】
【請求項１】
複数の掛け布団ユニットを組み合わせて構成されるユニット式掛け布団であって、掛け布団ユニットの各々が他の掛け布団ユニットとの着脱可能な連結を可能にする連結手段を有する、ユニット式掛け布団。
【請求項２】
ユニット式掛け布団が、外周部と、外周部の内側の中央部を有し、外周部及び中央部の少なくとも一方が、掛け布団ユニットの欠如によって形成された少なくとも一つの空所を有する、請求項１のユニット式掛け布団。
【請求項３】
外周部においては掛け布団ユニットが連続して連結され、中央部に掛け布団ユニットの欠如によって形成された少なくとも一つの空所を有する、請求項２のユニット式掛け布団。
【請求項４】
中央部においては掛け布団ユニットが連続して連結され、外周部に掛け布団ユニットの欠如によって形成された少なくとも一つの空所を有する、請求項２のユニット式掛け布団。
【請求項５】
複数の掛け布団ユニットの各々が同一の材質および／または異なる材質からなる、請求項１〜４のいずれか一項のユニット式掛け布団。
【請求項６】
複数の掛け布団ユニットの各々が矩形である、請求項１〜５のいずれか１項のユニット式掛け布団。
【請求項７】
矩形は一辺の長さが１０ｃｍ〜２１０ｃｍであり、他の一辺の長さが１０ｃｍ〜６０ｃｍである、請求項６のユニット式掛け布団。
【発明の詳細な説明】
【技術分野】
【０００１】
本発明は、着脱可能な複数の掛け布団ユニットを組み合わせて任意の形状とすることができる、ユニット式掛け布団に関する。
【背景技術】
【０００２】
近年、健康への影響の高さから睡眠に関する関心が高まり、睡眠の質の向上させる研究開発が多方面から進められている。
入眠や熟睡を妨げる一因として、足先などの四肢末端の冷え症が挙げられる。冷え症対策として足先などを温めるべく、パジャマのズボン裾部（特許文献１）、足元部分に断熱材や内部の熱を反射させる生地を備えた掛け布団（特許文献２、３）により保温することが提案されている。
【０００３】
また複数のピース連結体と、当該ピース連結体が連結される基布とを有する掛け布団であって、ピース連結体同士の隙間から掛け布団内にたまる熱や湿気を放出する掛け布団（特許文献４）も提案されている。
【０００４】
また温度以外にも、質の高い睡眠は、掛け布団などの寝具の肌触りや湿気などの触感や、視覚、嗅覚による清潔感などの心理効果によって大きく影響を受けることが知られている。
【０００５】
掛け布団は、睡眠時の発汗量の多さや身体接触時間の長さから、触感や清潔度を維持させるため、タオルと同じ頻度で洗濯および交換することが望ましい。また病気に対する抵抗力が弱い小児、高齢者や、日中をほとんど臥位状態にて過ごす病人や被介護者などであれば、さらに清潔度やＱＯＬの観点からも、掛け布団の頻繁な洗濯および交換が切に望まれている。
【０００６】
さらに一般的に掛け布団は、シングルサイズなどの既定の大きさの一枚布として販売されており、高身長から低身長の各身長や、各使用者の胴部、脚部、腕部などの身体部分の長さに適合できるような製品とはなっていない。
また冷え症などを有する使用者にとっても、各季節の環境温度に対応できるよう、異なる素材等からなる複数種類の掛け布団を複数枚購入し保管しなければならないことがある。
【０００７】
さらに掛け布団は、首や肩や腰回りなど身体の動きによる摩擦や、皮膚が直に接触する部分などよる汚れにより、品質が局所的に劣化しやすく、この品質劣化しやすい部分が掛け布団の快適性に大きな影響を与えている。
【０００８】
加えて、掛け布団が大きな一枚布の製品であることから、タオルなどに比べて、製造者、流通販売業者にとって原材料、保管料などにおいてコスト高となっている。
【先行技術文献】
【特許文献】
【０００９】
【特許文献１】特許第３８４８３５９号公報
【特許文献２】特開２０１２−０９０９３６号公報
【特許文献３】特開２０１４−２１７５７６号公報
【特許文献４】特許２００６−２３０４５６号公報
【発明の概要】
【発明が解決しようとする課題】
【００１０】
上述した特許文献１〜４の掛け布団等によれば、冬場などの寒冷な環境温度において自己の体温により四肢末端を含む全身の体温を適切に調節する手段としては有効である。しかしながら夏場などの熱帯夜では、熟睡を導くため体中心部の体温を低下させることが必要であり、また睡眠の間の体温は入眠時に最も急激に低下することから、その体温変化にも柔軟に対応できる温度調節が必要となる。
したがって上記の解決手段では、冬場には冷え症を緩和させることができても、夏場ではかえって入眠および熟睡を妨げることになりえる。
【００１１】
また掛け布団の頻繁な洗濯が望まれていても、一枚布の掛け布団ではその大きさから、タオルのような小型の洗濯物と比較して、洗濯が困難であり、干す場合にもスペースを要し、乾燥機にかけた場合でも乾燥しにくいことがある。
また頻繁な交換、各種身長、および季節による環境温度の変化などに対応できるよう、複数種類の一枚布の掛け布団を複数枚余分に用意することは、保管スペースや経済性の観点からも、一般家庭において容易なことではない。
【００１２】
さらに掛け布団の快適性に大きな影響を与える局所的な品質劣化が存在すると、その他の部分の品質は良好であっても、その一部分の品質劣化により掛け布団を買い替える必要が生じることがある。
また上述したように、製造業者、流通販売業者にとっても、一枚布の掛け布団では、経済的にも環境的にも良好とは言えない側面を持っている。
【００１３】
そこで本発明者は、上記の問題を鑑みて本願発明を完成するに至った。
すなわち本願発明は、複数の掛け布団ユニットの組み合わせにより、夏場の冷え症を緩和するなどして、快適な睡眠をもたらし、かつ経済的にも環境的にも良好なユニット式掛け布団を提供することを目的とする。
【課題を解決するための手段】
【００１４】
本願発明の第１の態様は、複数の掛け布団ユニットを組み合わせて構成されるユニット式掛け布団であって、掛け布団ユニットの各々が他の掛け布団ユニットとの着脱可能な連結を可能にする連結手段を有する、ユニット式掛け布団である。
【００１５】
本願発明の第２の態様は、さらにユニット式掛け布団が、外周部と、外周部の内側の中央部を有し、外周部及び中央部の少なくとも一方が、掛け布団ユニットの欠如によって形成された少なくとも一つの空所を有する、ユニット式掛け布団である。
【００１６】
本願発明の第３の態様は、さらに外周部においては掛け布団ユニットが連続して連結され、中央部に掛け布団ユニットの欠如によって形成された少なくとも一つの空所を有する、ユニット式掛け布団である。
【００１７】
本願発明の第４の態様は、さらに中央部においては掛け布団ユニットが連続して連結され、外周部に掛け布団ユニットの欠如によって形成された少なくとも一つの空所を有する、ユニット式掛け布団である。
【００１８】
本願発明の第５の態様は、さらに複数の掛け布団ユニットの各々が同一の材質および／または異なる材質からなる、ユニット式掛け布団である。
【００１９】
本願発明の第６の態様は、さらに複数の掛け布団ユニットの各々が矩形である、ユニット式掛け布団である。
【００２０】
本願発明の第７の態様は、さらに矩形は一辺の長さが１０ｃｍ〜２１０ｃｍであり、他の一辺の長さが１０ｃｍ〜６０ｃｍである、ユニット式掛け布団である。
【発明の効果】
【００２１】
本願発明のユニット式掛け布団は、複数の掛け布団ユニットを組み合わせて構成されることから、使用者の個々の体形に合わせることができ、また使用者の個々の胸部や脚部などの上に空所を形成することなどにより、使用者の身体各所に応じた温度調節が可能となり、涼しく快適な睡眠環境とすることができる。本願発明のこのようなユニット式掛け布団は、特に夏場の冷え症を緩和させることにおいて優れている。
【００２２】
さらに本願発明のユニット式掛け布団によれば、取り外した掛け布団ユニットが小型であるため、洗濯および乾燥しやすく、掛け布団の清潔度などによる快適性を維持することができる。
加えて本願発明のユニット式掛け布団によれば、汚れや摩耗した掛け布団ユニットのみを交換して、掛け布団の品質などによる快適性を維持することができる。
また本願発明のユニット式掛け布団は、複数の掛け布団ユニットを組み合わせて構成されることから、一枚布の掛け布団と比べて、使用者、製造業者、および流通販売業者にとって、経済的にも環境的にも良好なものとすることができる。
【図面の簡単な説明】
【００２３】
【図１】図１は、複数の掛け布団ユニットを連結させ、使用者の胸部と脚部の上部に対応する箇所に空所を設けたユニット式掛け布団を表している。
【図２】図２は、異なる形状や保温性を有する掛け布団ユニットを連結させたユニット式掛け布団を表している。
【図３】図３は、放熱性および放湿性の高い掛け布団ユニットを連結させたユニット式掛け布団を表している。
【発明を実施するための形態】
【００２４】
本願発明のユニット式掛け布団は、複数の掛け布団ユニットを組み合わせて構成される。また掛け布団ユニットの各々は、他の掛け布団ユニットとの着脱可能な連結を可能にする連結手段を有している。
連結手段の連結によりユニット式掛け布団の一体性が維持されることで、就寝中の寝返りなどの身体の動きに対しても掛け布団の追従性が担保され、就寝から起床までの体温を適切に調節することができる。
【００２５】
掛け布団ユニットの連結手段は、その連結によりユニット式掛け布団の一体性を維持することができ、かつ寝具としての快適性や洗濯・乾燥性を損なうものでなければ特に限定されるものではなく、掛け布団の素材となる布などを連結する手段として使用されている全てのものを利用することができる。具体的な連結手段としては、スナップ、マジックテープ、ボタン、フック、ファスナーなどが挙げられる。また連結手段は睡眠時の快適性を損なわない形態にて掛け布団ユニットに設けられることが望ましい。
【００２６】
また本願発明においては、連結手段がオス部とメス部とからなる場合、両者とも連結手段と称し、複数の掛け布団ユニットが連続して連結するように、掛け布団ユニットに連結手段が設けられることが望ましい。
【００２７】
本願発明では、複数の掛け布団ユニットの組み合わせによって、任意の形状の掛け布団となる。複数の掛け布団ユニットの組み合わせにより、掛け布団の縦幅、横幅を任意の大きさにすることができる。具体的には、乳児用サイズから、シングルサイズ、ダブルサイズ、キングサイズなどに相当する大きさにすることができる。また使用者各人の胴部、脚部、腕部などの身体の各箇所に対応した形状にすることができる。
【００２８】
具体的には、本願発明のユニット式掛け布団は、外周部と、外周部の内側の中央部を有し、外周部及び中央部の少なくとも一方が、掛け布団ユニットの欠如によって形成された少なくとも一つの空所を有する形状とすることができる。
【００２９】
より具体的には、本願発明のユニット式掛け布団は、外周部においては掛け布団ユニットが連続して連結され、中央部に掛け布団ユニットの欠如によって形成された少なくとも一つの空所を有する形状や、中央部においては掛け布団ユニットが連続して連結され、外周部に掛け布団ユニットの欠如によって形成された少なくとも一つの空所を有する形状とすることができる。
【００３０】
このように掛け布団ユニットの欠如により中央部に空所を有する形状とすることで、掛け布団との間に生じた熱や湿気を外部に放出するとともに、掛け布団内の空気を自然な形で換気することができる。
【００３１】
さらに空所が形成される箇所および面積によって、掛け布団内の温度や湿度をより適切に調節して、より涼しく快適な睡眠環境とすることができる。具体的には空所が、掛け布団を掛けた使用者の胸部および脚部またはそれらの内の一方の上部に位置するように形成された場合、熱と湿気の放出や換気とともに、腹部と足先の保温が担保されるため、身体各部に応じた温度調節が可能となる。また空所の面積を変化させることにより、季節などによる環境温度の変化に応じた温度調節が可能となる。
【００３２】
さらにこのように掛け布団ユニットの欠如により外周部に空所を有する形状とすることで、環境気温に対する使用者の温度調節を可能にし、またギブスや点滴などにより、局所的に掛け布団を覆うことができない箇所に対応した形状とすることができる。
【００３３】
また本願発明における掛け布団ユニットの素材は、上述した掛け布団の特性を損なうものでなければ特に限定されるものではなく、一般的に掛け布団として使用されている素材、具体的には綿、リネン、シルク、ウール、化学繊維およびこれらの混合によるタオル地などの編地、織地、起毛生地、不織生地や、羽毛や化繊綿などを含む素材を利用することができる。本願発明においては、複数の掛け布団ユニットの各々が同一の材質、同一の材質および異なる材質、および異なる材質からなるものとすることができる。さらに厚みなどについても各ユニットについて、同一および／または異なってもよい。
【００３４】
具体的には、例えば、掛け布団を掛けた使用者の手先および足先またはそれらの内の一方に接する掛け布団ユニットを、他の掛け布団ユニットよりも保温性が高い厚手のタオル地などの掛け布団ユニットとすることができる。また掛け布団を掛けた使用者の熱や湿度が高い部分に対応する掛け布団ユニットを、他の掛け布団ユニットよりも放熱、放湿性の高いメッシュ素材などの掛け布団ユニットとすることができる。また季節などによる環境温度の変化に応じて、保温性の高い掛け布団ユニット、通常の掛け布団ユニット、放熱性・放湿性が高い掛け布団ユニット、空所と段階的に対応することができる。このように身体の対応部分に対応する掛け布団ユニットの保温性等を変化させることにより、身体各所の体温をより適切に調節することが可能となる。
【００３５】
掛け布団ユニットの大きさとしては、上述した掛け布団の特性を損なうものでなければ特に限定されるものではないが、洗濯や乾燥、ならびに交換や保管がしやすい小型の形状であることが望ましい。
【００３６】
具体的には、複数の掛け布団ユニットの各々が矩形とすることができる。また矩形の掛け布団ユニットは、一辺の長さが１０ｃｍ〜２１０ｃｍ、より好ましくは１５ｃｍ〜１８０ｃｍ、さらに好ましくは２０ｃｍ〜１２０ｃｍとし、他の一片の長さが１０ｃｍ〜６０ｃｍ、より好ましくは１５ｃｍ〜６０ｃｍ、さらに好ましくは２０ｃｍ〜４０ｃｍとすることができる。
【００３７】
掛け布団は均一ではなく、局所的に摩耗や汚れなどが生じることがある。また掛け布団の首に接する部分などは、就寝時の快適性に与える影響が大きい。そこでそのような箇所を幅広の長方形の掛け布団ユニットとすることで、洗濯を容易にし、また交換用として用意された当該大きさの掛け布団ユニットを適宜交換することで、掛け布団全体の快適性を維持することができる。
【００３８】
さらに矩形の掛け布団ユニットは、一辺の長さが１０ｃｍ〜６０ｃｍ、より好ましくは１５ｃｍ〜６０ｃｍ、さらに好ましくは２０ｃｍ〜４０ｃｍの正方形とすることができる。
このように正方形の掛け布団ユニットとすることで、自由設計性性、交換容易性、および量産性を高めることができる。
【００３９】
この小型の掛け布団ユニットを複数枚連結させた掛け布団から、１以上の掛け布団ユニット、１以上の列、１以上の行ごとに取り外すことができるため、洗濯しやすく、また干す場合にもスペースを取ることがなく、乾燥機にかける場合にも乾燥しやすくなる。加えて小型の掛け布団ユニットであるから、一枚布の掛け布団よりも交換用の収納スペースを大幅に削減することができる。
【実施例】
【００４０】
実施例１
本願発明の一実施形態のユニット式掛け布団が、図１に示されている。
当該掛け布団は、正方形のタオル地からなる矩形の掛け布団ユニットを７行×８列に連結させてなるものである。当該掛け布団ユニットには、連結手段として、上端および左端にスナップが、下端および右端に対応するスナップが付けられている。
【００４１】
また上から２列目から３枚の掛け布団ユニットが取り除かれ、使用者の胸部上に空所が形成されている。そして上から５列目、６列目から、それぞれ３枚、計６枚の掛け布団ユニットが取り除かれ、使用者の脚部上に空所が形成されている。このように空所を形成することにより、掛け布団が覆われている使用者の腹部と足先を適切に保温しながらも、胸部と脚部から放熱、放湿させることができる。
【００４２】
さらに形成された空所により、一枚布の掛け布団と比べて掛け布団の身体に対する接触面積が小さくなり、摩擦力が低減されることになる。そのため寝返りなどの使用者の身体の動きに追従しやすく、掛け布団のまくり上げを抑制し、より適切な体温調整を可能にすることができる。
【００４３】
実施例２
本発明の別の実施形態によるユニット式掛け布団が、図２に示されている。
当該掛け布団には、１列目部分には首周りに接する幅広の長方形である掛け布団ユニットが連結されている。
掛け布団における１列目は首回りに接することから汚れやすく、また首回りは微妙な違いを感じ取れるほどに鋭敏な感覚を持っている。したがって掛け布団の１列目に幅広の長方形の掛け布団ユニットを連結させることで、簡便に、洗濯、交換することができ、結果として首周りの皮膚感覚や清潔度を良好に維持することができる。
【００４４】
また掛け布団の３〜４列の左右端から２行、および７〜８列の中央３行部分の掛け布団ユニットは、その他の掛け布団ユニットよりも、厚手のタオル地で保温性が高い掛け布団ユニットとなっている。
このように保温性の高い掛け布団ユニットを局所的に連結させることで、手先、足先以外の温度を適切に維持しつつ、手先、足先部分のみ温度を高めて、手先、足先の冷えをより緩和させることができる。
【００４５】
実施例３
本発明のさらに別の実施形態のユニット式掛け布団が、図３に示されている。
当該掛け布団では、図３に示されるように、使用者の胸部上および脚部上には放熱性、放湿性の高いメッシュ素材の掛け布団ユニットが連結されている。
このように胸部上および脚部上にメッシュ素材の掛け布団ユニットを連結させることで、季節の移り変わりによる微妙な気温変化により対応させることができる。
【符号の説明】
【００４６】
１  掛け布団ユニット
２  連結手段
３  空所
４  首周りに接する長方形の掛け布団ユニット
５  保温性の高い掛け布団ユニット
６  放熱性および放湿性の高い掛け布団ユニット
【図１】
2019042432.tif 000003
【図２】
2019042432.tif 000004
【図３】
2019042432.tif 000005